(57)【要約】【課題】音を出力するスピーカの特性に合ったエフェクト処理をサウンドデータに施すこと。【解決手段】  実施形態によれば、電子機器は、音データの出力先を設定する設定部と、前記音データの補正処理に用いる補正データを、前記音データの出力先に対応させて記憶する記憶部と、前記出力先に対応する補正データを用いて前記音データの補正処理を行う補正処理部と、前記設定部の設定に応じて、前記補正処理された音データの出力先を切り替える切替部と、前記切替部の切り替えに応じて、前記補正処理された音データを出力する音データ出力部とを具備する。【選択図】    図４
2015039081.tif 000002
【特許請求の範囲】
【請求項１】
音データの出力先を設定する設定部と、
前記音データの補正処理に用いる補正データを、前記音データの出力先に対応させて記憶する記憶部と、
前記出力先に対応する補正データを用いて前記音データの補正処理を行う補正処理部と、
前記設定部の設定に応じて、前記補正処理された音データの出力先を切り替える切替部と、
前記切替部の切り替えに応じて、前記補正処理された音データを出力する音データ出力部と
を具備する電子機器。
【請求項２】
外部機器との接続を行う接続手段をさらに具備し、
前記設定部は、前記接続手段の接続状態に応じて、前記音データの出力先を設定する請求項１記載の電子機器。
【請求項３】
内蔵する内蔵スピーカをさらに具備し、
前記設定部は、前記接続手段が外部機器と接続している状態でない場合には、前記出力先を前記内蔵スピーカに設定する請求項２記載の電子機器。
【請求項４】
前記設定部は、前記接続手段が外部機器と接続している状態である場合には、前記出力先を前記外部機器のスピーカに設定する請求項２記載の電子機器。
【請求項５】
音データの出力先を設定し、
前記音データの補正処理に用いる補正データを、前記音データの出力先に対応させて記憶し、
前記出力先に対応する補正データを用いて前記音データの補正処理を行い、
前記設定部の設定に応じて、前記補正処理された音データの出力先を切り替え、
前記切替部の切り替えに応じて、前記補正処理された音データを出力する音制御方法。
【請求項６】
音データの出力先を設定する手順と、
前記音データの補正処理に用いる補正データを、前記音データの出力先に対応させて記憶する手順と、
前記出力先に対応する補正データを用いて前記音データの補正処理を行う手順と、
前記設定部の設定に応じて、前記補正処理された音データの出力先を切り替える手順と、前記切替部の切り替えに応じて、前記補正処理された音データを出力する手順をコンピュータに実行させるプログラム。
【発明の詳細な説明】
【技術分野】
【０００１】
本発明の実施形態は、音をスピーカで出力する電子機器、電子機器の音制御方法、およびプログラムに関する。
【背景技術】
【０００２】
従来から、音を出力可能にする様々な音出力装置が提供されている。このような音出力装置では、例えば、テレビやパーソナルコンピュータに内蔵されたスピーカやこれらテレビやパーソナルコンピュータに接続して用いる外部スピーカがある。
【０００３】
この外部スピーカには、パーソナルコンピュータの機能拡張のために用いられるスピーカを内蔵したポートリプリケータ（ドッキングステーションとも称する）があり、パーソナルコンピュータに内蔵されたスピーカとポートリプリケータに内蔵されたスピーカとを切り換えて、音を出力することができる。
【０００４】
また、パーソナルコンピュータに内蔵されたスピーカとポートリプリケータに内蔵されたスピーカと効率良く利用するために、スピーカを切り換えるだけではなく、双方のスピーカで適切な音量が出力できるように音量調節を自動で行うことが考えられている（例えば、特許文献１参照）。
【先行技術文献】
【特許文献】
【０００５】
【特許文献１】特開平９−２７４５５７号公報
【発明の概要】
【発明が解決しようとする課題】
【０００６】
しかし、特許文献１の装置では、単に音量を調節するのみで、音を出力するスピーカの特性に合ったエフェクト処理をサウンドデータに施すことはできていなかった。
【０００７】
本発明の目的は、音を出力するスピーカの特性に合ったエフェクト処理をサウンドデータに施す電子機器、電子機器の音制御方法、およびプログラムを提供することにある。
【課題を解決するための手段】
【０００８】
実施形態によれば、電子機器は、音データの出力先を設定する設定部と、前記音データの補正処理に用いる補正データを、前記音データの出力先に対応させて記憶する記憶部と、  前記出力先に対応する補正データを用いて前記音データの補正処理を行う補正処理部と、前記設定部の設定に応じて、前記補正処理された音データの出力先を切り替える切替部と、前記切替部の切り替えに応じて、前記補正処理された音データを出力する音データ出力部とを具備する。
【図面の簡単な説明】
【０００９】
【図１】一実施形態に係る電子機器の外観を示す斜視図。
【図２】一実施形態に係る電子機器と外部機器の外観を示す斜視図。
【図３】同実施形態の電子機器のシステム構成を示すブロック図。
【図４】同実施形態の電子機器によるコンテンツデータ表示の流れを示す概念図。
【図５】同実施形態の電子機器によるサウンドデータをエフェクト処理し、音出力する処理の手順を示すフローチャート。
【発明を実施するための形態】
【００１０】
以下、実施の形態について図面を参照して説明する。  
図１は、一実施形態に係る電子機器の外観を示す斜視図である。この電子機器は、例えばノートブックタイプのパーソナルコンピュータ１として実現される。図１に示すように、本コンピュータ１は、コンピュータ本体２と、ディスプレイユニット３とから構成される。
【００１１】
ディスプレイユニット３には、ＬＣＤ（liquid crystal display）１５が組み込まれている。ディスプレイユニット３は、コンピュータ本体２の上面が露出される開放位置とコンピュータ本体２の上面を覆う閉塞位置との間を回動自在にコンピュータ本体２に取り付けられている。
【００１２】
コンピュータ本体２は、薄い箱形の筐体を有しており、その上面には、キーボード２６、本コンピュータ１を電源オン／電源オフするためのパワーボタン２８、入力操作パネル２９、タッチパッド２７、スピーカ１８Ａ，１８Ｂなどが配置されている。入力操作パネル２９上には、各種操作ボタンが設けられている。これらボタン群には、テレビジョン（以下、ＴＶと称する）機能（視聴、録画、録画されたＴＶ放送データ／ビデオデータの再生）を制御するための操作ボタン群も含まれている。また、コンピュータ本体２の正面には、本コンピュータ１のＴＶ機能をリモート制御するリモコンユニットとの通信を実行するためのリモコンユニットインタフェース部３０が設けられている。リモコンユニットインタフェース部３０は、例えば赤外線信号受信部などから構成されており、このリモコンユニットからのリモート制御によって、ＴＶ機能を制御することもできる。
【００１３】
コンピュータ本体２の例えば背面には、例えばＨＤＭＩ（high-definition multimedia interface）規格に対応した（図示しない）外部ディスプレイ接続端子が設けられている。この外部ディスプレイ接続端子は、ＴＶ放送データのような映像コンテンツデータに含まれる映像データ（動画像データ）を外部ディスプレイに出力するために用いられる。
【００１４】
図２は、一実施形態に係る本コンピュータ１およびポートリプリケータ４を示す斜視図である。ポートリプリケータ４は、外部機器の一例である。
【００１５】
図２に示すように、本コンピュータ１は、ポートリプリケータ４にドッキングする。
【００１６】
コンピュータ本体２の底面に、第１のコネクタ３３と、一対の穴と、アース用の電極とが設けられている。図１において、第１のコネクタ３３は破線で示される。第１のコネクタ３３は、ポートリプリケータ４と本コンピュータ１とを接続するために用いられる。一対の穴は、第１のコネクタ３３を挟んで位置している。
【００１７】
図２に示すように、ポートリプリケータ４は、筐体４１と、筐体４１の内部に収容される基板と、第２のコネクタ４３と、一対の凸部４４と、イジェクトレバー４５とを備えている。第２のコネクタ４３は、接続部の一例である。
【００１８】
筐体４１は、矩形状の載置部５１を有している。載置部５１は、筐体４１の上面であり、本コンピュータ１のような複数種類の機器が載置される。なお、載置部５１は、平坦な面に限らず、複数の凹凸を含んでも良い。
【００１９】
第２のコネクタ４３は、載置部５１から突出して設けられている。第２のコネクタ４３は、筐体４１の前端部４１ａの近くに配置されている。第２のコネクタ４３は、筐体４１の内部で基板に接続されている。
【００２０】
第２のコネクタ４３は、本コンピュータ１の第１のコネクタ３３に嵌合することで、本コンピュータ１に接続される。これにより、基板が本コンピュータ１に電気的に接続される。第２のコネクタ４３は、本コンピュータ１のみでなく複数種類の機器に共通して用いられてもよい。
【００２１】
一対の凸部４４は、載置部５１から突出して設けられている。一対の凸部４４は、第２のコネクタ４３を挟んで配置されている。一対の凸部４４は、メインユニット１１の底面に設けられた前記一対の穴に嵌合する。一対の凸部４４は、本コンピュータ１に係合する可動式の爪をそれぞれ有している。
【００２２】
イジェクトレバー４５は、筐体の内部において、凸部４４の前記爪と載置部５１に設けられたイジェクトピンとに連結されている。イジェクトレバー４５が操作されると、凸部４４の前記爪と本コンピュータ１との係合が解除されるとともに、前記イジェクトピンが本コンピュータ１を押し上げる。これにより、第１のコネクタ３３から第２のコネクタ４３が抜け、ポートリプリケータ４と本コンピュータ１との接続が解除される。
【００２３】
スピーカ５０Ａ，５０Ｂは、筐体４１の前端部４１ａに配置されており、筐体４１の内部で基板に接続されている。
【００２４】
図３は、本コンピュータ１とポートリプリケータ４のシステム構成を示す図である。
【００２５】
本コンピュータ１は、図３に示すように、ＣＰＵ１１、ノースブリッジ１２、主メモリ１３、表示コントローラ１４、ビデオメモリ（ＶＲＡＭ）１４Ａ、ＬＣＤ（Liquid Crystal Display）１５、サウスブリッジ１６、サウンドコントローラ１７、スピーカ１８Ａ，１８Ｂ、ＢＩＯＳ−ＲＯＭ１９、ＬＡＮコントローラ２０、ハードディスクドライブ（ＨＤＤ）２１、光ディスクドライブ（ＯＤＤ）２２、無線ＬＡＮコントローラ２３、ＵＳＢコントローラ２４、エンベデッドコントローラ／キーボードコントローラ（ＥＣ／ＫＢＣ）２５、キーボード（ＫＢ）２６、ポインティングデバイス２７、パワーボタン２８、入力操作パネル２９、リモコンユニットインタフェース部３０、ＴＶチューナ３１、ＴＶ放送受信アンテナ３２、第１のコネクタ３３等を備えている。
【００２６】
ＣＰＵ１１は、本コンピュータ１の動作を制御するプロセッサである。ＣＰＵ１１は、ＨＤＤ２１から主メモリ１３にロードされる、オペレーティングシステム（ＯＳ）１３Ａ、及びコンテンツ再生アプリケーションプログラム１３Ｂ等のようなアプリケーションプログラムを実行する。コンテンツ再生アプリケーションプログラム１３Ｂは、映像や音声等のコンテンツデータを視聴するための機能を有するソフトウェアである。この映像コンテンツ再生アプリケーション１３Ｂは、ＴＶチューナ３１によって受信されたＴＶ放送データを視聴するためのライブ再生処理、受信されたＴＶ放送データをＨＤＤ２１に記録する録画処理、ＨＤＤ２１に記録されたＴＶ放送データ／ビデオデータを再生する再生処理、ネットワークを介して受信されたコンテンツデータを再生する再生処理、ＤＶＤ等の記憶媒体に記憶されたコンテンツデータを再生する再生処理等を実行する。映像コンテンツ再生アプリケーション１３Ｂは、コンテンツデータに含まれる映像データをＬＣＤ１５の画面上に表示することもできる。
【００２７】
また、ＣＰＵ１１は、ＢＩＯＳ−ＲＯＭ１９に格納されたＢＩＯＳ（Basic Input/Output System）も実行する。ＢＩＯＳは、ハードウェア制御のためのプログラムである。
【００２８】
ノースブリッジ１２は、ＣＰＵ１１のローカルバスとサウスブリッジ１６との間を接続するブリッジデバイスである。ノースブリッジ１２には、主メモリ１３をアクセス制御するメモリコントローラも内蔵されている。また、ノースブリッジ１２は、表示コントローラ１４との通信を実行する機能も有している。
【００２９】
表示コントローラ１４は、本コンピュータ１のディスプレイとして使用されるＬＣＤ１５を制御するデバイスである。この表示コントローラ１４によって生成される表示信号はＬＣＤ１５に送られる。ＬＣＤ１５は、表示信号に基づいて映像を表示する。
【００３０】
サウスブリッジ１６は、ＰＣＩ（Peripheral Component Interconnect）バス上及びＬ
ＰＣ（Low Pin Count）バス上の各デバイスを制御する。また、サウスブリッジ１６は、
ＨＤＤ２１及びＯＤＤ２２を制御するためのＩＤＥ（Integrated Drive Electronics）コントローラ、及びＢＩＯＳ−ＲＯＭ１９をアクセス制御するメモリコントローラが内蔵されている。さらに、サウスブリッジ１６は、サウンドコントローラ１７及びＬＡＮコントローラ２０との通信を実行する機能も有している。
【００３１】
サウンドコントローラ１７は音源デバイスであり、再生対象のサウンドデータをスピーカ１８Ａ，１８Ｂに出力する。ＬＡＮコントローラ２０は、例えばEthernet（登録商標）規格の有線通信を実行する有線通信デバイスであり、無線ＬＡＮコントローラ２３は、例えばIEEE 802.11規格の無線通信を実行する無線通信デバイスである。また、ＵＳＢコン
トローラ２４は、例えばUSB2.0規格のケーブルを介して外部機器との通信を実行する。
【００３２】
ＥＣ／ＫＢＣ２５は、電力管理を行うためのエンベデッドコントローラと、キーボード（ＫＢ）２６、及びポインティングデバイス２７を制御するためのキーボードコントローラとが集積された１チップマイクロコンピュータである。このＥＣ／ＫＢＣ２５は、ユーザのパワーボタン２８への操作に応じて本コンピュータ１をパワーオン／パワーオフする機能を有している。さらに、ＥＣ／ＫＢＣ２５は、リモコンユニットインタフェース部３０との通信を実行する機能を有している。
【００３３】
ＴＶチューナ３１はＴＶ放送信号によって放送されるＴＶ放送データをＴＶ放送受信アンテナ３２を介して受信する受信装置である。このＴＶチューナ３１は、例えば、地上波デジタルＴＶ放送のようなデジタルＴＶ放送データを受信可能なデジタルＴＶチューナとして実現されている。また、ＴＶチューナ３１は、外部機器から入力されるビデオデータをキャプチャする機能も有している。ＴＶ放送受信アンテナ３２は、装置外部に取り付けられていてもよいし、本コンピュータ１に内蔵されていてもよい。
【００３４】
ポートリプリケータ４は、図３に示すように、第２のコネクタ５３、スピーカ５０Ａ，５０Ｂ等を備えている。
【００３５】
スピーカ５０Ａ，５０Ｂは、第２のコネクタ５３を介して、本コンピュータ１から送られたオーディオデータを外部に音出力する。
【００３６】
次に、図４を参照して、本実施形態のコンテンツ再生機能について説明する。コンテンツ再生機能は、制御部１００によって行われる。制御部１００の制御は、コンテンツ再生アプリケーションプログラム１３Ｂを実行するＣＰＵ１１による制御である。また、これに限らず、他のデバイスとともに制御が行われても良いし、他のデバイスだけで制御が行われても良いし、ソフト制御を伴わないハード制御だけで行われても良い。
【００３７】
本実施形態では、再生対象のコンテンツデータ７０は、音を出力するだけのデータで説明するが、映像（動画像）を表示するためのビデオデータを含むものであっても良い。コンテンツデータ７０内のサウンドデータは、デコーダ１０１に出力される。このサウンドデータは一般に符号化（圧縮符号化）されている。デコーダ１０１は符号化されたサウンドデータを復号する。そして、復号されたサウンドデータをエフェクト処理部１０２に出力する。エフェクト処理部１０２は、復号されたサウンドデータをエフェクト処理する。そして、エフェクト処理されたサウンドデータは、切替部１０５に出力される。切替部１０５は、エフェクト処理されたサウンドデータをサウンドコントローラ１７を介してスピーカ１８Ａ、１８Ｂまたは第１のコネクタ３３と第２のコネクタ５３を介してスピーカ５０Ａ、５０Ｂに出力する。通常、切替部１０５はエフェクト処理されたサウンドデータをサウンドコントローラ１７を介してスピーカ１８Ａ、１８Ｂ画像に出力する。
【００３８】
接続検出部１０３は、第１のコネクタ３３と第２のコネクタ５３の接続状態を検出して、検出結果をデータ記憶部１０４と切替部１０５に通知する。
【００３９】
切替部１０５は、接続検出部１０３からの検出結果に基づいて、エフェクト処理されたサウンドデータをサウンドコントローラ１７を介してスピーカ１８Ａ、１８Ｂに出力するか第１のコネクタ３３と第２のコネクタ５３を介してスピーカ５０Ａ、５０Ｂに出力するかを切り換える。第１のコネクタ３３と第２のコネクタ５３が接続状態にない場合は、切替部１０５はエフェクト処理されたサウンドデータをサウンドコントローラ１７を介してスピーカ１８Ａ、１８Ｂに音を出力する。第１のコネクタ３３と第２のコネクタ５３が接続状態にある場合は、エフェクト処理されたサウンドデータを第１のコネクタ３３と第２のコネクタ５３を介してスピーカ５０Ａ、５０Ｂに出力する。なお、第１のコネクタ３３と第２のコネクタ５３の接続状態に拘わらず、ユーザの操作等による設定状態に応じて、スピーカ１８Ａ、１８Ｂにサウンドデータを出力するか、スピーカ５０Ａ、５０Ｂにサウンドデータを出力するかを決定しても良い。
【００４０】
データ記憶部１０４は、接続検出部１０３の検出結果に応じて、エフェクト処理に用いるデータをエフェクト処理部１０２に出力する。データ記憶部１０４は、スピーカ１８Ａ、１８Ｂで音出力するのに適したエフェクト処理をするためのデータＡまたはスピーカ５０Ａ、５０Ｂで音出力するのに適したエフェクト処理をするためのデータＢを記憶している。データＡとデータＢは、例えば製造時においてあらかじめデータ記憶部１０４に記憶されていても良いし、データＢは、ポートリプリケータ４との接続時にポートリプリケータ４から取得して記憶しても良い。ここで、エフェクト処理の代表的な例としては、イコライザー処理がある。スピーカは、低音域が出難いスピーカや、高音域が伸び難いスピーカというように、それぞれ特性が異なる。低音域が出難いスピーカについては、低音域を強調するようなデータで、原音（サウンドデータ）を補正する。高音域が伸び難いスピーカの場合は、高音域だけを強調するようなデータで原音を補正する。つまり、データとは、スピーカ特性に合わせた補正用のデータである。」
データ記憶部１０４は、接続検出部１０３の検出結果に応じて、エフェクト処理に用いるデータをエフェクト処理部１０２に出力する。データ記憶部１０４は、第１のコネクタ３３と第２のコネクタ５３が接続状態にない場合は、データＡをエフェクト処理部１０２に出力する。第１のコネクタ３３と第２のコネクタ５３が接続状態にある場合は、データＢをエフェクト処理部１０２に出力する。
【００４１】
なお、接続検出部１０３の検出結果に拘わらず、ユーザの操作等による設定状態に応じて、データをエフェクト処理部１０２に出力しても良い。例えば、第１のコネクタ３３と第２のコネクタ５３が接続状態にあっても、ユーザの操作等による設定がスピーカ１８Ａ、１８Ｂに出力する設定となっていた場合は、データＡをエフェクト処理部１０２に出力し、エフェクト処理部１０２はこのデータＡを用いてエフェクト処理をし、切替部１０５はエフェクト処理後のサウンドデータをスピーカ１８Ａ、１８Ｂにて出力するように制御する。
【００４２】
なお、接続検出部１０３の検出結果に応じて、データ記憶部１０４が適切なデータをエフェクト処理部１０２に出力したが、それに限らなくても良い。接続検出部１０３の検出結果に拘わらず、データ記憶部１０４からデータＡとデータＢをエフェクト処理部１０２に出力し、エフェクト処理部１０２が接続検出部１０３の検出結果に応じて、データＡとデータＢのいずれかを選択して、エフェクト処理を行っても良い。
【００４３】
次に、図５に示すフローチャートを参照して、コンテンツデータから音を生成する処理の手順を説明する。
【００４４】
ユーザによりコンテンツを再生する操作が行われたら、コンテンツデータ処理が開始する（ステップ２０１）。
【００４５】
そして、接続検出部１０３が第１のコネクタ３３と第２のコネクタ５３が接続状態にあるかを検出する。
【００４６】
第１のコネクタ３３と第２のコネクタ５３が接続状態にない場合は、ステップ２０３に進む（ステップ２０２のＮｏ）。そして、データ記憶部１０４はデータＡをエフェクト処理部１０２に出力し、エフェクト処理部１０２はデータＡに基づいて復号されたサウンドデータをエフェクト処理する（ステップ２０３）。そして、エフェクト処理されたサウンドデータは、スピーカ１８Ａ、１８Ｂにて音出力される（ステップ２０４）。
【００４７】
第１のコネクタ３３と第２のコネクタ５３が接続状態にある場合は、ステップ２０５に進む（ステップ２０２のＹｅｓ）。そして、データ記憶部１０４はデータＢをエフェクト処理部１０２に出力し、エフェクト処理部１０２はデータＢに基づいて復号されたサウンドデータをエフェクト処理する（ステップ２０５）。そして、エフェクト処理されたサウンドデータは、スピーカ５０Ａ、５０Ｂにて音出力される（ステップ２０６）。
【００４８】
そして、ユーザによりコンテンツ再生を終了する操作が行われたら（ステップ２０７のＹｅｓ）、コンテンツ再生を終了する（ステップ２０８）。一方、コンテンツ再生を終了する操作が行われなかったら（ステップ２０７のＮｏ）、ステップ２０２に進む。
【００４９】
なお、上述した実施形態では、サウンドデータのエフェクト処理による例を説明したが、エフェクト処理以外でも、音の出力先に応じてサウンドデータを異なる音質とするための処理であれば、いかなる処理でも良い。
【００５０】
なお、上述した実施形態では、電子機器がノートブックタイプのパーソナルコンピュータとして実現された例を説明したが、電子機器がテレビ、録画再生機、ＤＶＤレコーダー、Ｂｒｕ−ｒａｙレコーダーとして実現されていても良い。
【００５１】
なお、上記各実施形態に記載した手法は、コンピュータに実行させることのできるプログラムとして、磁気ディスク（フレキシブルディスク、ハードディスクなど）、光ディスク（ＣＤ−ＲＯＭ、ＤＶＤなど）、光磁気ディスク（ＭＯ）、半導体メモリなどの記憶媒体に格納して頒布することもできる。
【００５２】
また、この記憶媒体としては、プログラムを記憶でき、かつコンピュータが読み取り可能な記憶媒体であれば、その記憶形式は何れの形態であっても良い。
【００５３】
また、記憶媒体からコンピュータにインストールされたプログラムの指示に基づきコンピュータ上で稼働しているＯＳ（オペレーティングシステム）や、データベース管理ソフト、ネットワークソフト等のＭＷ（ミドルウェア）等が本実施形態を実現するための各処理の一部を実行しても良い。
【００５４】
さらに、本発明における記憶媒体は、コンピュータと独立した媒体に限らず、ＬＡＮやインターネット等により伝送されたプログラムをダウンロードして記憶または一時記憶した記憶媒体も含まれる。
【００５５】
また、記憶媒体は１つに限らず、複数の媒体から本実施形態における処理が実行される場合も本発明における記憶媒体に含まれ、媒体構成は何れの構成であっても良い。
【００５６】
尚、本発明におけるコンピュータは、記憶媒体に記憶されたプログラムに基づき、本実施形態における各処理を実行するものであって、パソコン等の１つからなる装置、複数の装置がネットワーク接続されたシステム等の何れの構成であっても良い。
【００５７】
上記実施形態で説明された各モジュールの機能を実現するためには、プロセッサによって実行されるソフトウェアアプリケーションによって実現しても良いし、ハードウェアによる処理回路によって実現しても良いし、ハードウェアによって実現しても良いし、ソフトウェアアプリケーション、ハードウェア、およびソフトウェアモジュールを組み合わせて実現しても良い。
【００５８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５９】
１…パーソナルコンピュータ、４…ポートリプリケータ、１００…制御部、１０２…エフェクト処理部、１０３…接続検出部、１０４…データ記憶部、１０５…切替部。
【図１】
2015039081.tif 000003
【図２】
2015039081.tif 000004
【図３】
2015039081.tif 000005
【図４】
2015039081.tif 000006
【図５】
2015039081.tif 000007